(57)【要約】【課題】シャワー水の水当たりにムラなく且つシャワー水の跳ね返りを抑えることができるシャワーヘッドの提供。【解決手段】水が導入される内部空間６の吐水口にシャワー水を散水する散水孔２，３を形成した散水板１が取り付けられたシャワーヘッドにおいて、内部空間６の内壁には、導入される水の延長線上の内壁に水が当たって分散される凸状の曲面を有する水分散用突起５ａが形成され、散水板１には、同心円状に環状の散水孔２，３が複数形成され、最外周の外側環状散水孔２は散水するシャワー水が、このシャワー水の内側のシャワー水と着水箇所で干渉し合わない角度に散水板１の垂直線側に傾斜しているシャワーヘッド。【選択図】図１
2015083090.tif 000002
【特許請求の範囲】
【請求項１】
水が導入される内部空間の吐水口にシャワー水を散水する散水孔を形成した散水板が取り付けられたシャワーヘッドにおいて、
前記内部空間の内壁には、導入される水の延長線上の内壁に水が当たって分散される凸状の曲面を有する水分散用突起が形成され、
前記散水板には、同心円状に環状の散水孔が複数形成され、最外周の外側環状散水孔は散水するシャワー水がこのシャワー水の内側のシャワー水と着水箇所で干渉し合わない角度に前記散水板の垂直線側に傾斜していることを特徴とするシャワーヘッド。
【請求項２】
前記凸部の形状が半球状若しくは半球に類似した突起であることを特徴とする請求項１に記載のシャワーヘッド。
【発明の詳細な説明】
【技術分野】
【０００１】
本発明は、洗髪などに使用されるシャワーヘッドに関し、特に散水板の散水孔からシャワー水がむらなく散水され且つシャワー水の着水箇所での跳ね返りを抑えることが可能なシャワーヘッドに関する。
【背景技術】
【０００２】
洗髪、身体洗浄あるいは食器洗浄などの各種洗浄にシャワー水が利用されている。シャワー水は、シャワーホースを介して供給された水あるいは湯水が連結されているシャワーヘッドの散水板に形成されている多数の散水孔から洗浄対象物に向かって噴射される。
【０００３】
シャワーヘッドから噴射されたシャワー水が着水箇所に衝突すると、あわや汚れを含んだ洗浄水が跳ねて周りを濡らしたり、汚したりする不都合が生じる。そこで、シャワー水の跳ね返りを防止するために、各種のシャワーヘッドが提案されている。
【０００４】
特許文献１には、シャワーヘッドの散水板から噴出されるシャワー水がシャワー水の着地位置での湯水の跳ね返りを防止するため、シャワーヘッドの吐水口に散水板を設け、散水板に散水孔を環状に列設して形成した散水孔列を同心円状に複数条列設し、複数条の散水孔列の散水孔の孔径を中央部にある散水孔列から外周部にある散水孔列に向って漸次小さく形成したシャワーヘッドが開示されている。このシャワーヘッドでは、シャワー水の外周縁に位置する径の小さな散水孔から噴出されるシャワー分流は流量が少ない細いものに形成されているため、それほど跳ね返りが起こらないものである。また、シャワー水の外周縁にシャワー分流が位置しているために、シャワー水の中央部のシャワー分流の跳ね返った湯水はシャワー分流と干渉し、シャワー水よりも外側に飛ばないように包み込み、このようにして、シャワー水の跳ね返りを小さくするというものである。
【０００５】
また、特許文献２には、水の跳ね返りを抑止するため、中央部に多数の散水孔を集中して開設してストレート噴流を作るようにし、この周囲に多数の散水孔を環状に配列してなる環状散水孔列を設けることでカーテン状の水流を作るようにし、しかもこの環状散水孔列より噴射される噴射水が散水板の前方の所定距離離れた中心線上の一点に向けて集まるようにして水の跳ね返りを防止する散水板を用いたシャワーヘッドが開示されている。
【先行技術文献】
【特許文献】
【０００６】
【特許文献１】特開２００１−２７９７４８号公報
【特許文献２】特開２００６−１４２２７２号公報
【発明の概要】
【発明が解決しようとする課題】
【０００７】
特許文献１のシャワーヘッドは、散水孔列の散水孔の孔径を中央部にある散水孔列から外周部にある散水孔列に向って漸次小さく形成されるので、中央と外側で流量が変化して均一に散水されずに水当たりにムラが生じるだけでなく、外周縁に位置する径の散水孔から噴出されるシャワー分流は水量が少ないとはいえ、跳ね返りが起こるという欠点がある。
【０００８】
また、特許文献２では、環状散水孔列より噴射されるカーテン状の水流が中央部のストレート噴流に向けて集まるようにはしているものの、ヘッド内に水が導入される側とその反対側では、自ずと導入される側から吐き出す水量が少なくなるため、均一なカーテン状の水流が出来ず、カーテンの隙間から水跳ねを起こすという問題がある。
【０００９】
そこで、本発明は、シャワー水の水当たりにムラなく且つ均一な水のカーテンを設けることでシャワー水の跳ね返りを抑えることができるシャワーヘッドを提供するものである。
【課題を解決するための手段】
【００１０】
本願請求項１の発明は、水が導入される内部空間の吐水口にシャワー水を散水する散水孔を形成した散水板が取り付けられたシャワーヘッドにおいて、前記内部空間の内壁には、導入される水の延長線上の内壁に水が当たって分散される凸状の曲面を有する水分散用突起が形成され、前記散水板には、同心円状に環状の散水孔が複数形成され、最外周の外側環状散水孔は散水するシャワー水がこのシャワー水の内側のシャワー水と着水箇所で干渉し合わない角度に前記散水板の垂直線側に傾斜していることを特徴とするシャワーヘッドである。
【００１１】
本願請求項２の発明は、前記凸部の形状が半球状若しくは半球に類似した突起であることを特徴とする請求項１に記載のシャワーヘッドである。
【発明の効果】
【００１２】
本発明は、シャワーヘッドの内面に導入された水の延長線上に水分散用突起を設けることで内部空間６内に水が均等に分散され、散水板に設けられた散水孔の全てに同じ水圧がかかり、結果として全ての散水孔から等量の水が吐出されるため、外周に均一なカーテン状の水流が出来、水跳ねを防止するのと合わせ、水当たりのムラが解消できる。
【００１３】
また、本発明のシャワーヘッドは、散水板の外周に配置した散水孔から吐出されたシャワー水がカーテンの役割をし、カーテン内部の水が外側に跳ね返ることを防止する。こうして、特に美容室等の洗髪において従来のシャワーで問題であった水跳ねによる化粧落ちや洗髪台回りの汚損を防止することができる。
【図面の簡単な説明】
【００１４】
【図１】本発明のシャワーヘッドを示し、（ａ）は散水孔及び突起の配置を示す説明図、（ｂ）はシャワーヘッドの断面及び散水の状態を示す断面図である。
【図２】本発明のシャワーヘッドの突起の別実施例を示し、（ａ）は突起の配置を示す説明図、（ｂ）は突起の断面の断面図である。
【発明を実施するための形態】
【００１５】
図１に示すように、本発明のシャワーヘッドは、その内部空間６の内壁に、導入される水の延長線上に水を均等に分散させる水分散用突起５ａを設ける。シャワーヘッドの内部空間６に流入した水は水分散用突起５ａに当たって内部空間６内で均等に分散され、散水板１の散水孔２，３の全てから同量の水が吐出されて水当たりのムラが解消する。
【００１６】
水分散用突起５ａは、導入される水が当たる面を凸状の曲面に形成して均等に分散させる。突起５ａの形状は、図１に示す半球状若しくは図２に示す半球に類似した形状にして水を分散させる。突起５ａの直径は、導入する水路の直径と同程度で十分に水を分散させることが可能である。
【００１７】
シャワーヘッド５の吐水口に散水板１が取り付けられている。散水板１には同心円状に環状の散水孔２，３が複数形成され、最外周に環状の外側環状散水孔２が形成され、環状の散水孔２の内側に複数列で同心円状に内側環状散水孔３が形成されている。外側環状散水孔２の直径は０．３〜０．４ｍｍ、隣り合う散水孔２の間隔は１〜１．２ｍｍにしてカーテン状のシャワー水が形成されるようにする。内側の散水孔３の直径は散水孔２と同等もしくは若干大きめとするが、散水孔の間隔に特段の定めはなく任意である。本発明では、散水孔の孔数を１２０〜１８０個にするとともに、散水孔の総開口面積を２０〜２５ｍｍ２にすることで、水当たりのムラが解消されるとともに、水跳ねを抑えることができる。
【００１８】
外側環状散水孔２は、シャワー水２ａが洗浄対象物4に当たって中心に向けて跳ね返るように、散水板５の中心の垂直線に向かって吐出させるため、散水孔２を垂直線側に向けて傾斜させる。散水孔２の傾斜角度は、洗浄対象物4に当たる前に内側のシャワー水３ａに衝突すると跳ね返り防止ができなくなるので、洗浄対象物4に当たる前に内側のシャワー水３ａに衝突しない角度にする。シャワー水を洗浄対象物に当てて洗浄する場合、シャワーヘッドと洗浄対象物の距離は洗髪の場合は近いが、車の洗浄などで離して洗浄する場合でも１．５ｍを超えることはまれなので、外側環状散水孔２の角度は、噴出するシャワー水が散水板５の中心の垂直線へシャワーヘッドから１．５ｍ程度離れた距離に達するように形成して、洗浄対象物の前で外側環状散水孔２のカーテン状のシャワー水が内側のシャワー水と干渉し合わないようにする。そのため中心側への傾斜角度は、０．７〜６度が好ましい。
【符号の説明】
【００１９】
１：散水板
２：外周の散水孔
２ａ：外周の散水孔２から吐出された水
３：内側に配置した散水孔
３a：内側に配置した散水孔３から吐出された水
４：洗浄対象物
５：シャワーヘッド
５ａ：半球状の突起
５ｂ：半球に類似した突起
６：内部空間
【図１】
2015083090.tif 000003
【図２】
2015083090.tif 000004